(57)【要約】【課題】一人制スキャンバックチェックアウトから二人制スキャンバックチェックアウトへの切替作業負担を軽減する。【解決手段】買物袋Ｂを開いた状態で保持する袋保持部２１７を有する袋掛ユニット２０１と、商品載置面１０３を上面に有するカウンタ本体１０６と、商品載置面１０３に開口形成された上面開口部１０５と、カウンタ本体１０６における上面開口部１０５の下方領域に設けられた収納部１５１とを備える。袋掛ユニット２０１は、袋掛面２１１を上向きにして上面開口部１０５から袋保持部２１７を露出させる第１の収納態様と、袋掛面２１１を下向きにして反対側の接地面を商品載置面１０３と同一面上に配置する第２の収納態様との二態様で収納部１５１に収納される。【選択図】図６
2010108280.tif 000002
【特許請求の範囲】
【請求項１】
板状の板部と、当該板部の一面である袋掛面側に設けられて買物袋を開いた状態で保持する袋保持部とを有する袋掛ユニットと、
商品載置面を上面に有するカウンタ本体と、
前記商品載置面に開口形成された上面開口部と、
前記カウンタ本体における前記上面開口部の下方領域に設けられて、前記袋掛ユニットを、前記袋掛面を上向きにして前記上面開口部から前記袋保持部を露出させる第１の収納態様と、前記袋掛面を下向きにして当該袋掛面とは反対側の接地面を前記商品載置面と同一面上に配置する第２の収納態様との二態様で収納する収納部と、
を備えるチェックアウトカウンタ。
【請求項２】
前記商品載置面は、商品コードをスキャンする縦型スキャナを配置するスキャナ領域を有し、
前記収納部は、前記スキャナ領域に配置された縦型スキャナに商品コードをスキャンさせる店員と正対する位置に設けられている、
請求項１記載のチェックアウトカウンタ。
【請求項３】
前記収納部は、
前記上面開口部に連続して前記カウンタ本体に形成されて、前記縦型スキャナに商品コードをスキャンさせる店員に向けて開口する店員側開口部を備える、
請求項２記載のチェックアウトカウンタ。
【請求項４】
前記収納部は、
当該収納部を上下に区切る位置に配置されて当該収納部に第１の収納態様で収納される前記袋掛ユニットの前記接地面を支持する板状の中天板を備える、
請求項３記載のチェックアウトカウンタ。
【請求項５】
前記袋掛ユニットは、
前記店員側開口部から前記収納部に第２の収納態様で収納される際に前記中天板が差し込まれる差込部を備える、
請求項４記載のチェックアウトカウンタ。
【請求項６】
前記カウンタ本体は、
前記袋掛ユニットを収納する収納棚を備える、
請求項１ないし５のいずれか一記載のチェックアウトカウンタ。
【発明の詳細な説明】
【技術分野】
【０００１】
本発明は、チェックアウトカウンタに関する。
【背景技術】
【０００２】
従来、チェックアウトカウンタとしては、横長テーブル状の天板に縦型スキャナが配置されたものが普及している。天板の上面は、商品カゴを載置するための商品載置面となっている。チェックアウト作業では、店員は、商品載置面に載置された商品カゴから商品を取り出して、縦型スキャナにその商品コードをスキャンさせる。
【０００３】
【特許文献１】特開２００６−４８５９９公報
【発明の開示】
【発明が解決しようとする課題】
【０００４】
チェックアウト作業の一態様として、商品カゴから取り出してスキャンさせた商品を、スキャン後すぐに買物袋に袋詰めするものがある。これを、スキャンバックチェックアウトと呼ぶ。スキャンバックチェックアウトによれば、顧客は袋詰め作業をしなくても良いため、顧客へのサービス向上を図ることができる。
【０００５】
スキャンバックチェックアウトは、一人の店員が作業を行う場合（一人制）と二人の店員が作業を行う場合（二人制）とがある。
【０００６】
図８は、一人制スキャンバックチェックアウトに際してのチェックアウトカウンタ１を示す斜視図である。チェックアウトカウンタ１の天板２には、縦型スキャナ３が配置されている。縦型スキャナ３の手前側には、図示しない買物袋（ビニール袋、エコバッグ等）の持ち手が掛けられる袋掛フレーム４を有する袋掛ユニット５が配置されている。チェックアウトカウンタ１における縦型スキャナ３の手前側部分には、凹状に窪んだ凹部６が形成されており、袋掛ユニット５は、この凹部６に配置されている。この場合、買物袋は縦型スキャナ３のすぐ手前で開いた状態で保持されるので、一人の店員は、縦型スキャナ３に商品をスキャンさせた後すぐに、移動すること無くその商品を買物袋に袋詰めすることができる。
【０００７】
図９は、二人制スキャンバックチェックアウトに際してのチェックアウトカウンタ１を示す斜視図である。二人制の場合、一人目の店員（チェッカーとも言う）がスキャンさせた商品を二人目の店員（サッカーとも言う）が補助天板７の付近で受け取って袋詰めをする。つまり、一人目の店員にとって袋掛ユニット５は不要であるので、凹部６から取り除かれる。そして、袋掛ユニット５とは別の部材であるアタッチメント８が凹部６を塞ぐようにして配置される。このアタッチメント８は、一人制においては、天板２を支持する支持台９の収納棚１０に収納されている（図８参照）。凹部６から取り除かれた袋掛ユニット５は、二人目の店員の袋詰め作業のために、補助天板７上に配置される。
【０００８】
つまり、一人制から二人制への切替の際には、袋掛ユニット５を退けた後に別の部材であるアタッチメント８を取り出して設置する作業が必要とされ、煩雑である。
【０００９】
本発明の目的は、一人制スキャンバックチェックアウトから二人制スキャンバックチェックアウトへの切替に際しての作業負担を軽減することである。
【課題を解決するための手段】
【００１０】
本発明のチェックアウトカウンタは、板状の板部と、当該板部の一面である袋掛面側に設けられて買物袋を開いた状態で保持する袋保持部とを有する袋掛ユニットと、商品載置面を上面に有するカウンタ本体と、前記商品載置面に開口形成された上面開口部と、前記カウンタ本体における前記上面開口部の下方領域に設けられて、前記袋掛ユニットを、前記袋掛面を上向きにして前記上面開口部から前記袋保持部を露出させる第１の収納態様と、前記袋掛面を下向きにして当該袋掛面とは反対側の接地面を前記商品載置面と同一面上に配置する第２の収納態様との二態様で収納する収納部と、を備える。
【発明の効果】
【００１１】
本発明によれば、一人制から二人制へと切替した際に不要となる袋保持部（袋掛フレーム）を、袋掛ユニットの収納態様を変更するだけで消滅させることができるので、一人制スキャンバックチェックアウトから二人制スキャンバックチェックアウトへの切替に際しての作業負担を軽減することができる。
【発明を実施するための最良の形態】
【００１２】
本発明の実施の形態について図１ないし図７に基づいて説明する。
【００１３】
図１は、本実施の形態のチェックアウトカウンタ１０１を示す斜視図である。チェックアウトカウンタ１０１は、横長テーブル状の天板１０２を有する。天板１０２の上面には、平坦な商品載置面１０３が形成されている。商品載置面１０３は、商品（図示せず）又は商品が収納された商品カゴ（図示せず）を載置する。天板１０２は、板金製の支持台１０４によって支持されている。支持台１０４の両側領域には、チェックアウト作業に必要な備品を収納する収納棚１０７が設けられている。天板１０２と支持台１０４とを併せて、カウンタ本体１０６と呼ぶ。
【００１４】
チェックアウトカウンタ１０１の図１における左下側を店員側と呼び、右上側を顧客側と呼ぶ。店員（図示せず）は店員側に位置してチェックアウト作業を行い、顧客は顧客側に並び、店員によるチェックアウト作業を待つ。図１中、顧客の流れを矢印で示している。顧客の流れの下流側には、支持台１０４に接続させて補助天板１２１が取り付けられている。補助天板１２１は、天板１０２と同質の部材である。
【００１５】
天板１０２の長手方向の略中央領域には、縦型スキャナ１６１が設置されている。縦型スキャナ１６１は、商品載置面１０３において顧客側に寄せて配置されている。縦型スキャナ１６１は、チェックアウトカウンタ１０１に隣接配置されるＰＯＳ端末（図示せず）とデータ送受信自在に接続されている。
【００１６】
天板１０２における縦型スキャナ１６１の店員側の部分は、縦型スキャナ１６１を使用する店員に向けて開放するように長方形状に切り欠きが形成されている。この切り欠きを上面開口部１０５と呼ぶ。また、支持台１０４における上面開口部１０５の下方部分は、縦型スキャナ１６１を使用する店員に向けて開口している。この開口を店員側開口部１４２と呼ぶ。店員側開口部１４２は、上面開口部１０５と連続して形成されている。店員側開口部１４２を上下に区切る位置であって、上面開口部１０５の下方位置には、上面開口部１０５と同形の板状部材である中天板１１１が設けられている。中天板１１１は、両側の収納棚１０７を含む支持台１０４の板金に固定されている。このような上面開口部１０５と中天板１１１とによって、凹状の凹部１４１が形成されている。また、中天板１１１に区切られることによって、支持台１０４における凹部１４１の下方領域には、店員に向けて開放する下部空間１４３が形成されている。中天板１１１によって区切られた凹部１４１と下部空間１４３とを併せて収納部１５１と呼ぶ。このような収納部１５１は、縦型スキャナ１６１に商品に付された商品コードをスキャンさせる店員と正対する位置に設けられている。
【００１７】
図２は、袋掛ユニット２０１を示す斜視図である。袋掛ユニット２０１は、天板１０２と同質の部材である板状の板部２０２を有する。板部２０２は、上面開口部１０５よりも小さい外形を有する。図２において板部２０２の上面となる面を袋掛面２１１と呼ぶ。板部２０２における袋掛面２１１とは反対側の面を接地面２１２と呼ぶ。接地面２１２が平坦な面に接地されて、袋掛ユニット２０１はこの面に支持される。
【００１８】
袋掛面２１１における長手方向の両端位置には、一対のサイドフレーム２１５が板部２０２に対して垂直に設けられている。サイドフレーム２１５は、一例として、金属製の棒状部材であり、板部２０２に固定されている。
【００１９】
袋掛面２１１における短手方向の一方の端位置には、サイドフレーム２１５よりも高いバックフェンス２１６が設けられている。バックフェンス２１６は、薄い板状の部材であって、板部２０２とサイドフレーム２１５とに固定されている。
【００２０】
バックフェンス２１６には、サイドフレーム２１５の上空に位置させて、袋保持部としての一対の袋掛フレーム２１７が固定されている。袋掛フレーム２１７は、サイドフレーム２１５と同様に、金属製の棒状部材である。袋掛フレーム２１７の一部は屈曲されて、図２中上方に向けて突出する突起２１８が形成されている。一対の突起２１８には、開かれた買物袋Ｂ（図６及び図７参照）の持ち手がそれぞれ掛けられる。こうして、袋掛フレーム２１７は、買物袋Ｂを開いた状態で保持する。
【００２１】
図３は、板部２０２の接地面２１２を上面に向けた状態の袋掛ユニット２０１を示す斜視図である。図３に示すように、接地面２１２は、天板１０２の商品載置面１０３（図１参照）と同様に、平坦な面である。
【００２２】
サイドフレーム２１５と袋掛フレーム２１７との間には、隙間が設けられている。この隙間を差込部２２０と呼ぶ。この差込部２２０の幅は、中天板１１１（図１参照）の厚みよりも大きい。この差込部２２０については、袋掛ユニット２０１の短手方向の一方の端部は、バックフェンス２１６によって塞がれているものの、他方の端部は開放している。
【００２３】
チェックアウトカウンタ１０１の収納部１５１には、袋掛ユニット２０１を２つの収納態様で収納することができる。
【００２４】
図４は、第１の収納態様を示す断面図である。第１の収納態様では、袋掛ユニット２０１は、接地面２１２を中天板１１１に向けた姿勢で、凹部１４１に収納される。接地面２１２が中天板１１１の上面に接することで、袋掛ユニット２０１は、中天板１１１に支持される。このとき、袋掛フレーム２１７は、上面開口部１０５から露出して、天板１０２の商品載置面１０３よりも高位置に位置付けられる。
【００２５】
図５は、第２の収納態様を示す断面図である。第２の収納態様では、袋掛ユニット２０１は、接地面２１２を上向きにして、チェックアウトカウンタ１０１の店員側から収納部１５１へと収納される。このとき、袋掛ユニット２０１は、バックフェンス２１６が店員側となる向きで収納される。この場合、袋掛フレーム２１７とサイドフレーム２１５との間の差込部２２０には、中天板１１１が差し込まれる。すると、サイドフレーム２１５が中天板１１１に支持されて、袋掛ユニット２０１も支持される。この状態では、図５に示すように、板部２０２の接地面２１２は、天板１０２の商品載置面１０３と略同じ高さとなる。つまり、第２の収納態様で収納された袋掛ユニット２０１の接地面２１２は、商品載置面１０３と同一面上に配置される。
【００２６】
このような構成において、まず、一人制スキャンバックチェックアウトについて説明する。この場合、店員は、商品載置面１０３に載置された商品カゴから商品を手にとって縦型スキャナ１６１に商品コードをスキャンさせた後、自ら買物袋Ｂにスキャン後の商品を収納する。そのため、買物袋Ｂは、縦型スキャナ１６１になるべく近い位置に配置されていることが望ましい。そこで、この場合には、図４に示したように、第１の収納態様で袋掛ユニット２０１を収納部１５１に収納する。
【００２７】
図６は、一人制スキャンバックチェックアウトに際しての本実施の形態のチェックアウトカウンタ１０１を示す斜視図である。袋掛ユニット２０１を第１の収納態様で収納することにより、縦型スキャナ１６１の店員側であってこの縦型スキャナ１６１に隣接した位置で、袋掛フレーム２１７に買物袋Ｂを開いた状態で掛けることができる。こうして、一人の店員がスキャン後の商品を移動することなく、買物袋Ｂに収納することができる。
【００２８】
ここで、図６に示すように、収納棚１０７には、別の袋掛ユニット２０１が収納されている。
【００２９】
次に、二人制スキャンバックチェックアウトについて説明する。この場合、まず一人目の店員は、商品載置面１０３に載置された商品カゴから商品を手にとって縦型スキャナ１６１に商品コードをスキャンさせた後、スキャン後の商品を、縦型スキャナ１６１よりも下流側の商品載置面１０３に載置させる。続けて、二人目の店員は、商品載置面１０３に載置されたスキャン後の商品を、買物袋Ｂに収納する。このとき、一人目の店員は袋詰め作業をしないため、縦型スキャナ１６１の店員側の位置に袋掛フレーム２１７は不要である。そして、買物袋Ｂは、縦型スキャナ１６１よりも下流側、つまり、補助天板１２１付近に配置されていることが望ましい。二人目の店員による袋詰め作業のためである。
【００３０】
そこで、二人制の場合には、まず、第１の収納態様で収納されている袋掛ユニット２０１を凹部１４１から持ち上げて（又は引き出して）、取り出す。そして、この袋掛ユニット２０１を、天地を反転させて、図５に示したように、第２の収納態様で収納部１５１に収納する。さらに、収納棚１０７に収納されている他方の袋掛ユニット２０１を、その接地面２１２を補助天板１２１の上面に接地させて、補助天板１２１上に載置させる。
【００３１】
図７は、二人制スキャンバックチェックアウトに際しての本実施の形態のチェックアウトカウンタ１０１を示す斜視図である。袋掛ユニット２０１を第２の収納態様で収納部１５１に収納することで、縦型スキャナ１６１の店員側の位置においては、袋掛フレーム２１７が消滅し、袋掛ユニット２０１の板部２０２の接地面２１２によって、商品載置面１０３と連続した面が形成される。
【００３２】
そして、補助天板１２１上に載置された袋掛ユニット２０１に対しては、買物袋Ｂを開いた状態で袋掛フレーム２１７に掛けることができる。こうして、二人目の店員は、縦型スキャナ１６１の下流側の位置で、スキャン後の商品を買物袋Ｂに収納することができる。
【００３３】
以上説明したように本実施の形態によれば、一人制から二人制へと切替した際に不要となる袋掛フレーム２１７を、袋掛ユニット２０１の収納態様を変更するだけで消滅させることができる。また、もうひとつの袋掛ユニット２０１を収納棚１０７から取り出して補助天板１２１に載置させるだけで、二人目の店員による袋詰め作業に対応することができる。こうして、一人制から二人制への切替を迅速に行うことができ、その作業負担が軽減されたチェックアウトカウンタ１０１を提供することができる。
【図面の簡単な説明】
【００３４】
【図１】本実施の形態のチェックアウトカウンタを示す斜視図である。
【図２】袋掛ユニットを示す斜視図である。
【図３】板部の接地面を上面に向けた状態の袋掛ユニットを示す斜視図である。
【図４】第１の収納態様を示す断面図である。
【図５】第２の収納態様を示す断面図である。
【図６】一人制スキャンバックチェックアウトに際しての本実施の形態のチェックアウトカウンタを示す斜視図である。
【図７】二人制スキャンバックチェックアウトに際しての本実施の形態のチェックアウトカウンタを示す斜視図である。
【図８】一人制スキャンバックチェックアウトに際してのチェックアウトカウンタを示す斜視図である。
【図９】二人制スキャンバックチェックアウトに際してのチェックアウトカウンタを示す斜視図である。
【符号の説明】
【００３５】
１０１…チェックアウトカウンタ、１０３…商品載置面、１０５…上面開口部、１０６…カウンタ本体、１０７…収納棚、１１１…中天板、１４２…店員側開口部、１５１…収納部、１６１…縦型スキャナ、２０１…袋掛ユニット、２０２…板部、２１１…袋掛面、２１２…接地面、２１７…袋掛フレーム（袋保持部）、２２０…差込部、Ｂ…買物袋
【図１】
2010108280.tif 000003
【図２】
2010108280.tif 000004
【図３】
2010108280.tif 000005
【図４】
2010108280.tif 000006
【図５】
2010108280.tif 000007
【図６】
2010108280.tif 000008
【図７】
2010108280.tif 000009
【図８】
2010108280.tif 000010
【図９】
2010108280.tif 000011